(57)【要約】【課題】紅茶等の茶飲料の風味や香りによって味覚や嗅覚の面からだけでなく、視覚の面からも利用者喜びやリラックス効果を与えること。【解決手段】ティーバッグ本体１２の上部１２ｕには、浮き部材１８が連結されている。浮き部材１８は、水よりも比重の小さい透水性材料により構成されている。浮き部材１８は、文字及び／又は図形が表示された表示部（表示片）２２を有している。ティーバッグ１０は、お湯Ｗを注いだティーカップＣ内に浮き部材１８をティーバッグ本体１２と一緒に入れると、浮き部材１８の表示部２２がお湯Ｗの水面Ｗｆに浮かぶように構成されている。また、ティーバッグ１０は、浮き部材１８をティーバッグ本体１２と一緒に入れたティーカップＣ内にお湯Ｗを注ぐと、浮き部材１８の表示部２２がお湯Ｗの水面Ｗｆに浮かぶように構成されている。【選択図】  図１
2019064733.tif 000002
【特許請求の範囲】
【請求項１】
茶飲料をカップ内に抽出する際に用いられるティーバッグにおいて、
透水性材料により構成され、茶葉を内包した袋状のティーバッグ本体と、
一端部が前記ティーバッグ本体の上部に連結された吊り紐と、
前記ティーバッグ本体の一部に連結され、水よりも比重の小さい材料により構成され、文字及び／又は図形が表示された表示部を有した浮き部材と、を具備したことを特徴とするティーバッグ。
【請求項２】
お湯を注いだ前記カップ内に前記浮き部材を前記ティーバッグ本体と一緒に入れるか、又は前記浮き部材を前記ティーバッグ本体と一緒に入れた前記カップ内にお湯を注ぐと、前記浮き部材の前記表示部がお湯の水面に浮かぶように構成されていることを特徴とする請求項１に記載のティーバッグ。
【請求項３】
前記浮き部材は、一端部が前記ティーバッグ本体の一部に連結された連結部を有し、
前記表示部は、前記連結部の他端部に一体形成されていることを特徴とする請求項１又は請求項２に記載のティーバッグ。
【請求項４】
前記ティーバッグ本体は、ポリエステル、低融点歩エステル、ポリプロピレン、又はナイロンからなるメッシュシートにより構成され、
前記浮き部材は、低融点ポリエステルからなる不織布により構成されかつ前記ティーバッグ本体の一部に熱圧着可能な裏層と、前記裏層に重ねて形成されかつポリエステルからなる不織布により構成された中間層と、前記中間層に重ねて形成されかつポリエステルからなる不織布により構成された表層と、からなる三層構造であることを特徴とする請求項１から請求項３のうちのいずれか１項に記載のティーバッグ。
【請求項５】
前記ティーバッグ本体は、ポリエステル又はポリプロピレンからなる不織布により構成され、
前記浮き部材は、ポリエステル又はポリプロピレンからなる不織布により構成されていることを特徴とする請求項１から請求項３のうちのいずれか１項に記載のティーバッグ。
【請求項６】
前記浮き部材は、前記ティーバッグ本体の上部又は下部に連結されていることを特徴とする請求項１から請求項５のうちのいずれか１項に記載のティーバッグ。
【請求項７】
前記吊り紐の他端部に取付けられた摘み片を具備したことを特徴とする請求項１から請求項６のうちのいずれか１項に記載のティーバッグ。
【発明の詳細な説明】
【技術分野】
【０００１】
本発明は、例えば、紅茶、日本茶、ウーロン茶、又はハーブティー等の茶飲料をカップ内に抽出する際に用いられるティーバッグに関する。
【背景技術】
【０００２】
近年、ティーバッグについて種々の開発がなされており（特許文献１及び特許文献２参照）、市販されている一般的なティーバッグの構成等は、次のようになる。
【０００３】
一般的なティーバッグは、例えば、紅茶葉又は日本茶葉等の茶葉を内包する袋状のティーバッグ本体を具備しており、ティーバッグ本体は、例えば、不織布又は不織紙等の透水性材料により構成されている。また、ティーバッグ本体の上部には、吊り紐（下げ紐）の一端部が取付られており、吊り紐の他端部には、摘み片が取り付けられている。
【０００４】
従って、カップ内にお湯を注いだ後に、摘み片を手で持って、ティーバッグ本体をカップ内に入れる。そして、摘み片を手で持った状態又は吊り紐の他端部側をカップの外側に垂らした状態で、ティーバッグ（ティーバッグ本体）を蒸らす。これにより、紅茶等の茶飲料をカップ内に抽出することができる。なお、ティーバッグ本体をカップ内に入れた後に、カップ内にお湯を注いでもよい。
【先行技術文献】
【特許文献】
【０００５】
【特許文献１】特開２００８−１５００７１号公報
【特許文献２】特開２０１１−２５５９２４号公報
【発明の概要】
【発明が解決しようとする課題】
【０００６】
ところで、近年、茶飲料をカップ内に抽出する時間を含むブレークタイムにおいて、茶飲料の風味や香りによって味覚や嗅覚の面からだけでなく、他の面からも利用者に楽しみやリラックス効果を与えることが望まれている。
【０００７】
そこで、本発明は、前述の要望に応えることができる、新規な構成からなる飲料バッグ等を提供することを目的とする。
【課題を解決するための手段】
【０００８】
本発明の実施態様は、茶飲料をカップ内に抽出する際に用いられるティーバッグにおいて、透水性材料により構成され、茶葉を内包（封入）した袋状のティーバッグ本体と、一端部が前記ティーバッグ本体の上部に連結された吊り紐と、前記ティーバッグ本体の一部に連結され、水よりも比重の小さい材料により構成され、文字及び／又は図形が表示された表示部を有した浮き部材と、を具備したことである。ここで、「カップ」とは、ティーカップ、マグカップ、把手のない湯飲み等を含む意である。「茶飲料」とは、紅茶、日本茶、ウーロン茶、ハーブティー等を含む意である。「茶葉」とは、紅茶葉、日本茶葉、ウーロン茶葉、ハーブ茶葉を含む意である。「及び／又は」とは、２つのうちのいずれか一方と両方を含む意である。
【０００９】
好ましくは、前記ティーバッグは、お湯を注いだ前記カップ内に前記浮き部材を前記ティーバッグ本体と一緒に入れるか、又は前記浮き部材を前記ティーバッグ本体と一緒に入れた前記カップ内にお湯を注ぐと、前記浮き部材の前記表示部がお湯の水面に浮かぶように構成されている。また、好ましくは、前記ティーバッグは、前記吊り紐の他端部に取付けられた摘み片を具備している。
【００１０】
本発明の実施態様によると、前記カップ内にお湯を注いだ後に、前記吊り紐の他端部側（前記摘み片）を手で持って、前記浮き部材を前記ティーバッグ本体と一緒に前記カップ内に入れる。すると、前記ティーバッグ本体が前記カップ内のお湯の中に浸ると共に、前記浮き部材の前記表示部が前記カップ内のお湯の水面（湯面）に浮かぶ。そして、前記吊り紐の他端部側を手で持った状態又は前記カップの外側に垂らした状態で、前記ティーバッグ（前記ティーバッグ本体）を蒸らす。これにより、茶飲料を前記カップ内に抽出することができる。なお、前記浮き部材を前記ティーバッグ本体と一緒に前記カップ内に入れた後に、前記カップ内にお湯を注いでもよい。
【００１１】
前述のように、茶飲料を前記カップ内に抽出する際に、前記浮き部材の前記表示部が前記カップ内のお湯の水面に浮かぶ。これにより、前記浮き部材の前記表示部を介して前記カップ内のお湯の水面に文字及び／又は図形を表示することができ、その結果、利用者に視覚的な変化や刺激を与えることができる。
【発明の効果】
【００１２】
本発明によれば、前述のように、茶飲料を前記カップ内に抽出する際に、利用者に視覚的な変化や刺激を与えることができる。よって、本発明によれば、飲料の風味や香りによって味覚や嗅覚の面からだけでなく、視覚の面からも利用者喜びやリラックス効果を与えることができ、利用者は有意義なブレークタイムをとることができる。
【図面の簡単な説明】
【００１３】
【図１】図１（ａ）は、本発明の第１実施形態に係るティーバッグを示す図である。図１（ｂ）は、本発明の第１実施形態に係るティーバッグにおける浮き部材の模式的な部分断面図である。
【図２】図２は、本発明の第１実施形態に係るティーバッグを用いて紅茶をティーカップ内に抽出する様子を示す斜視図である。
【図３】図３は、本発明の第１実施形態に係るティーバッグを用いて紅茶をティーカップ内に抽出する様子を示す図であって、ティーカップの開口部側から図である。
【図４】図４は、本発明の第１実施形態の変形例に係るティーバッグを示す図である。
【図５】図５は、本発明の第１実施形態の変形例に係るティーバッグを用いて紅茶をティーカップ内に抽出する様子を示す斜視図である。
【図６】図６は、本発明の第１実施形態の変形例に係るティーバッグを用いて紅茶をティーカップ内に抽出する様子を示す図であって、ティーカップの開口部側から図である。
【図７】図７は、本発明の第２実施形態に係るティーバッグを示す図である。
【図８】図８は、本発明の第２実施形態に係るティーバッグを用いて日本茶を湯飲み内に抽出する様子を示す斜視図である。
【図９】図９は、本発明の第２実施形態に係るティーバッグを用いて日本茶を湯飲み内に抽出する様子を示す図であって、湯飲みの開口部側から見た図である。
【発明を実施するための形態】
【００１４】
以下、本発明の第１実施形態（変形例を含む）及び第２実施形態について図面を参照して説明する。
【００１５】
（第１実施形態）
図１（ａ）及び図２に示すように、本発明の第１実施形態に係るティーバッグ１０は、茶飲料の一例としての紅茶をティーカップＣ内に抽出する際に用いられるものである。そして、ティーバッグ１０の具体的な構成は、次のようになる。
【００１６】
ティーバッグ１０は、茶葉の一例としての紅茶葉Ｍを内包（封入）した袋状のティーバッグ本体１２を具備している。ティーバッグ本体１２は、透水性材料により構成されている。具体的には、ティーバッグ本体１２は、ポリエステル（ＰＥＴ）、低融点歩エステル（ＣＰＥＴ）、ポリプロピレン（ＰＰ）、又はナイロンからなるメッシュシート（メッシュフィルタ）により構成されている。
【００１７】
ティーバッグ本体１２の上部（上端部を含む）１２ｕには、吊り紐（下げ紐）１４の一端部が連結されている。また、吊り紐１４の他端部には、摘み片１６が取付けられており、摘み片１６は、紙により構成されている。
【００１８】
図１（ａ）（ｂ）に示すように、ティーバッグ本体１２の上部１２ｕには、浮き部材１８が連結されている。浮き部材１８は、水よりも比重の小さい材料（透水性材料）により構成されている。具体的には、浮き部材１８は、ティーバッグ本体１２の上部１２ｕに熱圧着（熱融着）可能な裏層１８ａと、裏層１８ａに熱圧着によって重ねて形成された中間層１８ｂと、中間層１８ｂに熱圧着によって重ねて形成された表層１８ｃと、からなる三層構造になっている。ここで、裏層１８ａは、低融点ポリエステル（ＣＰＥＴ）からなる不織布により構成されている。中間層１８ｂは、ポリエステル（ＰＥＴ）からなる不織布により構成されている。表層１８ｃは、ポリエステルからなる不織布（スパンボンド不織布）により構成されている。
【００１９】
浮き部材１８は、一対の連結部（連結片）２０を有しており、各連結部２０の一端部は、ティーバッグ本体１２の上部１２ｕに熱圧着（熱融着）によって連結されている。また、浮き部材１８は、一対の連結部２０の他端部の間に連結するように一体形成されかつ文字及び／又は図形が型抜きによって表示された表示部（表示片）２２を有している。ここで、「文字」とは、日本語の字、外国語の字、数字、及び記号を含む意である。「図形」とは、円形、楕円形、三角形等の多角形の形状だけでなく、動物、植物、山等の自然物、人工物、及びキャラクター等の形状を含む意である。なお、本発明の第１実施形態においては、一例として、表示部２２は、外国語の字である「ＴＨＡＮＫＹＯＵ」が表示されている。
【００２０】
図２及び図３に示すように、ティーバッグ１０は、お湯Ｗを注いだティーカップＣ内に浮き部材１８をティーバッグ本体１２と一緒に入れると、浮き部材１８の表示部２２がお湯Ｗの水面Ｗｆに浮かぶように構成されている。また、ティーバッグ１０は、浮き部材１８をティーバッグ本体１２と一緒に入れたティーカップＣ内にお湯Ｗを注ぐと、浮き部材１８の表示部２２がお湯Ｗの水面Ｗｆに浮かぶように構成されている。
【００２１】
続いて、本発明の第１実施形態の作用及び効果について説明する。
【００２２】
ティーカップＣ内にお湯Ｗを注いだ後に、摘み片１６を手で持って、浮き部材１８をティーバッグ本体１２と一緒にティーカップＣ内に入れる。すると、ティーバッグ本体１２がティーカップＣ内のお湯Ｗの中に浸ると共に、浮き部材１８の表示部２２がティーバッグ本体１２の下部１２ｄから離れてティーカップＣ内のお湯Ｗの水面（湯面）Ｗｆに浮かぶ。そして、摘み片１６を手で持った状態又吊り紐１４の他端部側をティーカップＣの外側に垂らした状態で、ティーバッグ１０（ティーバッグ本体１２）を蒸らす。これにより、紅茶をティーカップＣ内に抽出することができる。なお、浮き部材１８をティーバッグ本体１２と一緒にティーカップＣ内に入れた後に、ティーカップＣ内にお湯Ｗを注いでもよい。
【００２３】
前述のように、紅茶をティーカップＣ内に抽出する際に、浮き部材１８の表示部２２がティーカップＣ内のお湯Ｗの水面Ｗｆに浮かぶ。これにより、浮き部材１８の表示部２２を介してティーカップＣ内のお湯Ｗの水面Ｗｆに文字及び／又は図形を表示することができ、その結果、利用者に視覚的な変化や刺激を与えることができる。
【００２４】
特に、前述のように、浮き部材１８が一対の連結部２０を有しているため、各連結部２０の長さを十分に確保することによって、ティーカップＣ内のお湯Ｗの水面Ｗｆにおける浮き部材１８の浮き状態を安定させることができる。これにより、紅茶をティーカップＣ内に抽出する際に、利用者に視覚的な変化や刺激を効果的に与えることができる。
【００２５】
従って、本発明の第１実施形態によれば、紅茶の風味や香りによって味覚や嗅覚の面からだけでなく、視覚の面からも利用者喜びやリラックス効果を与えることができ、利用者は有意義なブレークタイムをとることができる。
【００２６】
（第１実施形態の変形例）
図４及び図５に示すように、本発明の第１実施形態の変形例に係るティーバッグ２４は、本発明の第１実施形態に係るティーバッグ１０（図１（ａ）参照）と同様に、茶飲料の一例としての紅茶をティーカップＣ内に抽出する際に用いられるものである。そして、ティーバッグ２４は、ティーバッグ１０と同様の構成を有しており、ティーバッグ２４の構成のうち、ティーバッグ１０の構成と異なる点についてのみ説明する。なお、ティーバッグ２４の構成要素のうち、ティーバッグ１０の構成要素と対応するものについては、図面中に同一符号を付してある。
【００２７】
ティーバッグ本体１２の下部（下端部を含む）１２ｄには、浮き部材２６が連結されている。浮き部材２６は、ティーバッグ１０の浮き部材１８（図１（ａ）（ｂ）参照）と同様に、水よりも比重の小さい材料（透水性材料）により構成されており、三層構造になっている。また、浮き部材２６は、一対の連結部（連結片）２８を有しており、各連結部２８の一端部は、ティーバッグ本体１２の下部１２ｄに熱圧着（熱融着）によって連結されている。更に、浮き部材２６は、一対の連結部２８の他端部の間に連結するように一体形成されかつ文字及び／又は図形が型抜きによって表示された表示部（表示片）３０を有している。なお、本発明の第１実施形態の変形例においては、一例として、表示部３０は、動物（親子の象）の形状が表示されている。
【００２８】
図５及び図６に示すように、ティーバッグ２４は、お湯Ｗを注いだティーカップＣ内に浮き部材２６をティーバッグ本体１２と一緒に入れると、浮き部材２６の表示部３０がお湯Ｗの水面Ｗｆに浮かぶように構成されている。また、ティーバッグ２４は、浮き部材２６をティーバッグ本体１２と一緒に入れたティーカップＣ内にお湯Ｗを注ぐと、浮き部材２６の表示部３０がお湯Ｗの水面Ｗｆに浮かぶように構成されている。
【００２９】
そして、本発明の第１実施形態の変形例においても、前述の本発明の第１実施形態と同様の作用及び効果を奏する。
【００３０】
（第２実施形態）
図７及び図８に示すように、本発明の第２実施形態に係るティーバッグ３２は、茶飲料の一例としての日本茶を湯飲みＣ’内に抽出する際に用いられるものである。そして、ティーバッグ３２の具体的な構成は、次のようになる。
【００３１】
ティーバッグ３２は、茶葉の一例としての日本茶葉Ｍ’を内包（封入）した袋状のティーバッグ本体３４を具備している。ティーバッグ本体３４は、透水性材料により構成されている。具体的には、ティーバッグ本体３４は、ポリエステル（ＰＥＴ）又はポリプロピレン（ＰＰ）からなる不織布により構成されている。
【００３２】
ティーバッグ本体３４の上部（上端部を含む）３４ｕには、吊り紐（下げ紐）３６の一端部が連結されている。また、吊り紐３６の他端部には、摘み片３８が取付けられており、摘み片３８は、紙により構成されている。
【００３３】
ティーバッグ本体３４の上部３４ｕには、浮き部材４０が連結されている。浮き部材４０は、水よりも比重の小さい材料（透水性材料）により構成されている。具体的には、浮き部材４０は、ポリエステル（ＰＥＴ）又はポリプロピレン（ＰＰ）からなる不織布により構成されている。また、浮き部材４０は、一対の連結部（連結片）４２を有しており、各連結部４２の一端部は、ティーバッグ本体３４の上部３４ｕに熱圧着（熱融着）によって連結されている。また、浮き部材４０は、一対の連結部４２の他端部の間に連結するように一体形成されかつ文字及び／又は図形が型抜きによって表示された表示部（表示片）４４を有している。なお、本発明の第２実施形態においては、一例として、表示部４４は、外国語の字である「ＴＨＡＮＫＹＯＵ」が表示されている。
【００３４】
図８及び図９に示すように、ティーバッグ３２は、お湯Ｗを注いだ湯飲みＣ’内に浮き部材４０をティーバッグ本体３４と一緒に入れると、浮き部材４０の表示部４４がお湯Ｗの水面Ｗｆに浮かぶように構成されている。また、ティーバッグ３２は、浮き部材４０をティーバッグ本体３４と一緒に入れた湯飲みＣ’内にお湯Ｗを注ぐと、浮き部材４０の表示部４４がお湯Ｗの水面Ｗｆに浮かぶように構成されている。
【００３５】
なお、本発明の第２実施形態においても、本発明の第１実施形態の変形例と同様に、ティーバッグ本体３４の下部（下端部を含む）３４ｄに浮き部材４０を連結してもよい。
【００３６】
続いて、本発明の第２実施形態の作用及び効果について説明する。
【００３７】
湯飲みＣ’内にお湯Ｗを注いだ後に、摘み片３８を手で持って、浮き部材１８をティーバッグ本体３４と一緒にティーカップＣ内に入れる。すると、ティーバッグ本体３４が湯飲みＣ’内のお湯Ｗの中に浸ると共に、浮き部材４０の表示部４４がティーバッグ本体３４の下部３４ｄから離れて湯飲みＣ’内のお湯Ｗの水面（湯面）Ｗｆに浮かぶ。そして、摘み片３８を手で持った状態又吊り紐３６の他端部側を湯飲みＣ’の外側に垂らした状態で、ティーバッグ３２（ティーバッグ本体３４）を蒸らす。これにより、日本茶を湯飲みＣ’内に抽出することができる。なお、浮き部材１８をティーバッグ本体１２と一緒にティーカップＣ内に入れた後に、湯飲みＣ’内にお湯Ｗを注いでもよい。
【００３８】
前述のように、日本茶を湯飲みＣ’内に抽出する際に、浮き部材４０の表示部４４が湯飲みＣ’内のお湯Ｗの水面Ｗｆに浮かぶ。これにより、浮き部材４０の表示部４４を介して湯飲みＣ’内のお湯Ｗの水面Ｗｆに文字及び／又は図形を表示することができ、その結果、利用者に視覚的な変化や刺激を与えることができる。
【００３９】
従って、本発明の第２実施形態においても、前述の本発明の第１実施形態と同様の効果を奏する。
【００４０】
なお、本発明は、前述の実施形態の説明に限るものでなく、ティーバッグ１０，２４，３２に適用した技術を、ウーロン茶、ハーブティー等の飲料をカップ内に抽出する際に用いられる他のティーバッグに適用する等、その他、種々の態様で実施可能である。また、本発明に包含される権利範囲は、これらの実施形態に限定されないものである。
【符号の説明】
【００４１】
１０    ティーバッグ
１２    ティーバッグ本体
１２ｕ  ティーバッグ本体の上部
１２ｄ  ティーバッグ本体の下部
１４    吊り紐（下げ紐）
１６    摘み片
１８    浮き部材
１８ａ  裏層
１８ｂ  中間層
１８ｃ  表層
２０    連結部（連結片）
２２    表示部（表示片）
２４    ティーバッグ
２６    浮き部材
３０    表示部（表示片）
３２    ティーバッグ
３４    ティーバッグ本体
３４ｕ  ティーバッグ本体の上部
３４ｄ  ティーバッグ本体の下部
３６    吊り紐（下げ紐）
３８    摘み片
４０    浮き部材
４２    連結部（連結片）
４４    表示部（表示片）
Ｃ    ティーカップ（カップ）
Ｃ’  湯飲み（カップ）
Ｍ    紅茶葉（茶葉）
Ｍ’  日本茶葉（茶葉）
【図１】
2019064733.tif 000003
【図２】
2019064733.tif 000004
【図３】
2019064733.tif 000005
【図４】
2019064733.tif 000006
【図５】
2019064733.tif 000007
【図６】
2019064733.tif 000008
【図７】
2019064733.tif 000009
【図８】
2019064733.tif 000010
【図９】
2019064733.tif 000011
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
茶飲料をカップ内に抽出する際に用いられるティーバッグにおいて、
透水性材料により構成され、茶葉を内包した袋状のティーバッグ本体と、
一端部が前記ティーバッグ本体の上部に連結された吊り紐と、
前記ティーバッグ本体の一部に連結され、水よりも比重の小さい材料により構成され、文字及び／又は図形が型抜きによって表示された表示部を有した浮き部材と、を具備したことを特徴とするティーバッグ。
【請求項２】
お湯を注いだ前記カップ内に前記浮き部材を前記ティーバッグ本体と一緒に入れるか、又は前記浮き部材を前記ティーバッグ本体と一緒に入れた前記カップ内にお湯を注ぐと、前記浮き部材の前記表示部がお湯の水面に浮かぶように構成されていることを特徴とする請求項１に記載のティーバッグ。
【請求項３】
前記浮き部材は、一端部が前記ティーバッグ本体の一部に連結された連結部を有し、
前記表示部は、前記連結部の他端部に一体形成されていることを特徴とする請求項１又は請求項２に記載のティーバッグ。
【請求項４】
茶飲料をカップ内に抽出する際に用いられるティーバッグにおいて、
透水性材料により構成され、茶葉を内包した袋状のティーバッグ本体と、
一端部が前記ティーバッグ本体の上部に連結された吊り紐と、
前記ティーバッグ本体の一部に連結され、水よりも比重の小さい材料により構成され、文字及び／又は図形が表示された表示部を有した浮き部材と、を具備し、
前記ティーバッグ本体は、ポリエステル、低融点ポリエステル、ポリプロピレン、又はナイロンからなるメッシュシートにより構成され、
前記浮き部材は、低融点ポリエステルからなる不織布により構成されかつ前記ティーバッグ本体の一部に熱圧着可能な裏層と、前記裏層に重ねて形成されかつポリエステルからなる不織布により構成された中間層と、前記中間層に重ねて形成されかつポリエステルからなる不織布により構成された表層と、からなる三層構造であることを特徴とするティーバッグ。
【請求項５】
前記ティーバッグ本体は、ポリエステル又はポリプロピレンからなる不織布により構成され、
前記浮き部材は、ポリエステル又はポリプロピレンからなる不織布により構成されていることを特徴とする請求項１から請求項３のうちのいずれか１項に記載のティーバッグ。
【請求項６】
前記浮き部材は、前記ティーバッグ本体の上部又は下部に連結されていることを特徴とする請求項１から請求項５のうちのいずれか１項に記載のティーバッグ。
【請求項７】
前記吊り紐の他端部に取付けられた摘み片を具備したことを特徴とする請求項１から請求項６のうちのいずれか１項に記載のティーバッグ。
【手続補正２】
【補正対象書類名】明細書
【補正対象項目名】０００８
【補正方法】変更
【補正の内容】
【０００８】
本発明の実施態様は、茶飲料をカップ内に抽出する際に用いられるティーバッグにおいて、透水性材料により構成され、茶葉を内包（封入）した袋状のティーバッグ本体と、一端部が前記ティーバッグ本体の上部に連結された吊り紐と、前記ティーバッグ本体の一部に連結され、水よりも比重の小さい材料により構成され、文字及び／又は図形が型抜きによって表示された表示部を有した浮き部材と、を具備したことである。ここで、「カップ」とは、ティーカップ、マグカップ、把手のない湯飲み等を含む意である。「茶飲料」とは、紅茶、日本茶、ウーロン茶、ハーブティー等を含む意である。「茶葉」とは、紅茶葉、日本茶葉、ウーロン茶葉、ハーブ茶葉を含む意である。「及び／又は」とは、２つのうちのいずれか一方と両方を含む意である。
【手続補正３】
【補正対象書類名】明細書
【補正対象項目名】００１６
【補正方法】変更
【補正の内容】
【００１６】
ティーバッグ１０は、茶葉の一例としての紅茶葉Ｍを内包（封入）した袋状のティーバッグ本体１２を具備している。ティーバッグ本体１２は、透水性材料により構成されている。具体的には、ティーバッグ本体１２は、ポリエステル（ＰＥＴ）、低融点ポリエステル（ＣＰＥＴ）、ポリプロピレン（ＰＰ）、又はナイロンからなるメッシュシート（メッシュフィルタ）により構成されている。